(57)【要約】  各々の少なくとも一部が２プライであり、それらの間に中間スペースを有する、第１の面と第２の面とを含むプラスチック・バッグであって、第１の面の２プライ部分は、内部に開口部を有する空気を通さないプラスチック材料の内側層を有し、第２の面の２プライ部分は、空気を通さないプラスチック材料の外側層を有し、外側層は、空気の通過を可能にする開口部を内部に有し、外側層の開口部は、第１の面の内側層の開口部の平均開口面積より小さい平均開口面積を有し、フィルタリング・チャンバが、内側層と外側層の間に形成されるので、バッグの内部の空気は、フィルタリング・チャンバを通ることによりバッグに入ることができ、空気は、バッグに入るときに粒子状物質として少なくとも部分的にフィルタリングされる。【選択図】図１
2010521739.tif 000002
【特許請求の範囲】
【請求項１】
ペイメントカードであって、
外部の電磁信号を受信し、前記ペイメントカードに電力供給するために前記電磁信号を電気信号に変換するように作働可能な受信機と、
１つ又はそれ以上のデータ信号を生成するように作働可能な、前記受信機の電気信号と結合されたＣＰＵと、
前記受信機からの前記電気信号に基づいて電力を受け取るように作働可能な、前記ＣＰＵから前記１つ又はそれ以上のデータ信号の少なくとも１つを受信するディスプレイと、
前記ＣＰＵからの前記１つ又はそれ以上のデータ信号の少なくとも１つを受信するよう作動可能であり、かつ、前記受信機からの前記電気信号に基づいて電力を受け取るようにさらに作働可能な、磁気的に読み取り可能なデータを格納する動的磁気ストライプと、
を含み、
前記ペイメントカードにより受信された前記電磁信号に応答して、前記ＣＰＵは、前記ディスプレイ上に表示された前記データを変更し、かつ、前記動的磁気ストライプにより格納された前記磁気的に読み取り可能なデータを変更することを特徴とするペイメントカード。
【請求項２】
前記ディスプレイは、前記データを永続的に表示するように作働可能であることを特徴とする、請求項１に記載のペイメントカード。
【請求項３】
前記ペイメントカードはバッテリを含まないことを特徴とする、請求項１に記載のペイメントカード。
【請求項４】
電圧レギュレータと結合された、前記電磁信号から受け取ったエネルギーを貯蔵する１つ又はそれ以上のエネルギー貯蔵素子をさらに含むことを特徴とする、請求項１に記載のペイメントカード。
【請求項５】
前記電圧レギュレータからの第１の電圧レベルの電圧を、前記ディスプレイと結合されるように適合された第２の電圧レベルの第２の電圧に変換するように作働可能な、該電圧レギュレータの１つ又はそれ以上の出力と結合された１つ又はそれ以上のレベル・シフト回路をさらに含むことを特徴とする、請求項１に記載のペイメントカード。
【請求項６】
ペイメントカードであって、
外部の電磁信号を受信し、該電磁信号を電気信号に変換するように作働可能な受信機と、
前記電気信号を受信するよう作動可能であり、かつ、１つ又はそれ以上の調整された電圧信号を与えるように作働可能な、前記受信機と結合された電圧レギュレータと、
１つ又はそれ以上のデータ信号を生成するように作働可能な、前記１つ又はそれ以上の調整された電圧信号の少なくとも１つを受信するＣＰＵと、
前記１つ又はそれ以上の調整された電圧信号の少なくとも１つを受信するよう作動可能であり、かつ、前記ＣＰＵからの前記１つ又はそれ以上のデータ信号の少なくとも１つを受信するように作働可能な、データを表示するディスプレイと、
を含み、
前記ペイメントカードにより受信される前記電磁信号に部分的に基づいて、前記ＣＰＵは、前記ディスプレイにより表示される前記データを変更するように作働可能であることを特徴とするペイメントカード。
【請求項７】
前記ディスプレイは、前記データを永続的に表示するように作働可能であることを特徴とする、請求項６に記載のペイメントカード。
【請求項８】
前記ペイメントカードはバッテリを含まないことを特徴とする、請求項６に記載のペイメントカード。
【請求項９】
前記電磁信号から受け取ったエネルギーを貯蔵するための、前記電圧レギュレータと結合された１つ又はそれ以上のエネルギー貯蔵素子をさらに含むことを特徴とする、請求項６に記載のペイメントカード。
【請求項１０】
前記電圧レギュレータからの第１の電圧レベルの電圧を、前記ディスプレイと結合されるように適合された第２の電圧レベルの第２の電圧に変換するように作働可能な、該電圧レギュレータの前記１つ又はそれ以上の出力と結合された１つ又はそれ以上のレベル・シフト回路をさらに含むことを特徴とする、請求項６に記載のペイメントカード。
【請求項１１】
前記１つ又はそれ以上の調整された電圧信号の少なくとも１つを受信するように作働可能であり、かつ、前記１つ又はそれ以上のデータ信号の少なくとも１つを受信するようにさらに作働可能な、磁気的に読み取り可能なデータを格納する動的磁気ストライプをさらに含み、前記ペイメントカードにより受信された前記電磁信号に部分的に基づいて、前記ＣＰＵは、前記動的磁気ストライプ内に含まれる前記磁気的に読み取り可能なデータの１つ又はそれ以上の部分を変更するように作働可能であることを特徴とする、請求項６に記載のペイメントカード。
【請求項１２】
前記電圧レギュレータからの第１の電圧レベルの電圧を、前記ディスプレイと結合されるように適合された第３の電圧レベルの第３の電圧に変換するように作働可能な、該電圧レギュレータの前記１つ又はそれ以上の出力と結合された１つ又はそれ以上のレベル・シフト回路をさらに含むことを特徴とする、請求項１１に記載のペイメントカード。
【請求項１３】
ペイメントカードであって、
外部の電磁信号を受信し、前記ペイメントカードに電力供給するために前記電磁信号を電気信号に変換するように作働可能な受信機と、
前記電気信号を受信するよう作動可能であり、かつ、１つ又はそれ以上の調整された電圧信号を与えるように作働可能な、前記受信機と結合された電圧レギュレータと、
前記１つ又はそれ以上の調整された電圧信号の少なくとも１つを受信するよう作動可能であり、かつ、１つ又はそれ以上のデータ信号を生成するように作働可能なＣＰＵと、
前記１つ又はそれ以上の調整された電圧信号の少なくとも１つを受信するよう作動可能であり、かつ、前記１つ又はそれ以上のデータ信号の少なくとも１つを受信するように作働可能な、磁気的に読み取り可能なデータを格納する動的磁気ストライプと、
を含み、
前記ペイメントカードにより受信された前記電磁信号に部分的に基づいて、前記ＣＰＵは、前記動的磁気ストライプ内に含まれる前記磁気的に読み取り可能なデータの１つ又はそれ以上の部分を変更することを特徴とするペイメントカード。
【請求項１４】
前記ペイメントカードはバッテリを含まないことを特徴とする、請求項１３に記載のペイメントカード。
【請求項１５】
前記電圧レギュレータと結合された、前記電磁信号から受け取ったエネルギーを貯蔵する１つ又はそれ以上のエネルギー貯蔵素子をさらに含むことを特徴とする、請求項１３に記載のペイメントカード。
【請求項１６】
前記電圧レギュレータからの第１の電圧レベルの電圧を、ディスプレイと結合されるように適合された第２の電圧レベルの第２の電圧に変換するように作働可能な、該電圧レギュレータの前記１つ又はそれ以上の出力と結合された１つ又はそれ以上のレベル・シフト回路をさらに含むことを特徴とする、請求項１３に記載のペイメントカード。
【請求項１７】
前記１つ又はそれ以上の調整された電圧信号の少なくとも１つを受信するように作動可能であり、かつ、前記１つ又はそれ以上のデータ信号の少なくとも１つを受信するようにさらに作働可能な、データを表示するディスプレイをさらに含み、前記ペイメントカードにより受信される前記電磁信号に部分的に基づいて、前記ＣＰＵは、前記ディスプレイにより表示される前記データを変更するように作働可能であることを特徴とする、請求項１３に記載のペイメントカード。
【請求項１８】
前記ディスプレイは、前記データを永続的に表示するように作働可能であることを特徴とする、請求項１７に記載のペイメントカード。
【請求項１９】
ペイメントカードを形成する方法であって、
前記ペイメントカード上にディスプレイを設け、
電磁信号を受信するよう作動可能であり、かつ、前記電磁信号を電力に変換するようにされた受信機を前記ペイメントカード上に設け、
前記電力を前記ディスプレイに印加することを提供し、
前記ディスプレイに印加された前記電力に応答して、該ディスプレイのコンテンツを変更することを提供する、
ことを含むことを特徴とする方法。
【請求項２０】
前記ペイメントカード上に動的磁気ストライプを設け、
前記ディスプレイに印加された前記電力に応答して、前記動的磁気ストライプのコンテンツを変更する、
ことをさらに含むことを特徴とする、請求項１９に記載の方法。
【請求項２１】
前記ディスプレイのコンテンツを変更する操作は、新しいデータを該ディスプレイに書き込むことを含むことを特徴とする、請求項１９に記載の方法。
【請求項２２】
前記動的磁気ストライプのコンテンツを変更する操作は、新しいデータを該動的磁気ストライプに書き込むことを含むことを特徴とする、請求項２０に記載の方法。
【請求項２３】
前記ディスプレイは永続的なものであることを特徴とする、請求項１９に記載の方法。
【請求項２４】
前記電磁信号から受け取ったエネルギーを貯蔵するために１つ又はそれ以上のエネルギー貯蔵素子を設けることをさらに含むことを特徴とする、請求項１９に記載の方法。
【請求項２５】
１つ又はそれ以上の調整された出力電圧を与える、前記受信機と結合された電圧レギュレータを設け、
前記１つ又はそれ以上の調整された出力電圧を前記ディスプレイと結合する、
ことをさらに含むことを特徴とする、請求項１９に記載の方法。
【請求項２６】
前記電圧レギュレータからの第１の電圧レベルの電圧を、前記ディスプレイと結合されるように適合された第２の電圧レベルの第２の電圧に変換する、該電圧レギュレータの前記１つ又はそれ以上の調整された出力電圧と結合された１つ又はそれ以上のレベル・シフト回路を設けることをさらに含むことを特徴とする、請求項１９に記載の方法。
【請求項２７】
ペイメントカードを操作する方法であって、
電磁信号を受信し、
前記電磁信号を電気信号に変換し、
前記電気信号を調整して、１つ又はそれ以上の調整された電圧信号を形成し、
前記１つ又はそれ以上の調整された電圧信号の少なくとも１つをＣＰＵに印加し、
前記１つ又はそれ以上の調整された電圧信号の少なくとも１つをディスプレイに印加し、
データを前記ディスプレイに書き込む、
ことを含むことを特徴とする方法。
【請求項２８】
前記１つ又はそれ以上の調整された電圧信号の少なくとも１つを動的磁気ストライプに印加し、
磁気的に読み取り可能なデータを前記動的磁気ストライプ上に格納する、
ことをさらに含むことを特徴とする、請求項２７に記載の方法。
【請求項２９】
前記電磁信号から受け取ったエネルギーを貯蔵することをさらに含むことを特徴とする、請求項２７に記載の方法。
【請求項３０】
ペイメントカードを操作する方法であって、
電磁信号を受信し、
前記電磁信号を電気信号に変換し、
前記電気信号を調整して、１つ又はそれ以上の調整された電圧信号を形成し、
前記１つ又はそれ以上の調整された電圧信号の少なくとも１つをＣＰＵに印加し、
前記１つ又はそれ以上の調整された電圧信号の少なくとも１つを動的磁気ストライプに印加し、
磁気的に読み取り可能なデータを前記動的磁気ストライプ上に格納する、
ことを含むことを特徴とする方法。
【請求項３１】
前記１つ又はそれ以上の調整された電圧信号の少なくとも１つをディスプレイに印加し、
データを前記ディスプレイに書き込む、
ことをさらに含むことを特徴とする、請求項３０に記載の方法。
【請求項３２】
前記電磁信号から受け取ったエネルギーを貯蔵することをさらに含むことを特徴とする、請求項３０に記載の方法。
【請求項３３】
ペイメントカードであって、
外部の電磁信号を受信する手段と、
前記ペイメントカードに電力供給するために前記電磁信号を１つ又はそれ以上の電気信号に変換する手段と、
前記１つ又はそれ以上の電気信号と結合された、１つ又はそれ以上のデータ信号の生成手段と、
前記１つ又はそれ以上の電気信号と結合されたデータ表示手段と、
を含むことを特徴とするペイメントカード。
【請求項３４】
前記１つ又はそれ以上の電気信号と結合された、磁気的に読み取り可能なデータを格納する手段をさらに含むことを特徴とする、請求項３３に記載のペイメントカード。
【請求項３５】
前記１つ又はそれ以上の電気信号と結合されたエネルギー貯蔵手段をさらに含むことを特徴とする、請求項３３に記載のペイメントカード。
【請求項３６】
ペイメントカードであって、
外部の電磁信号を受信する手段と、
前記ペイメントカードに電力供給するための、前記電磁信号を１つ又はそれ以上の電気信号に変換する手段と、
前記１つ又はそれ以上の電気信号と結合された、１つ又はそれ以上のデータ信号の生成手段と、
前記１つ又はそれ以上の電気信号と結合された、磁気的に読み取り可能なデータの格納手段と、
を含むことを特徴とするペイメントカード。
【請求項３７】
前記１つ又はそれ以上の電気信号と結合されたデータ表示手段をさらに含むことを特徴とする、請求項３６に記載のペイメントカード。
【請求項３８】
前記１つ又はそれ以上の電気信号と結合されたエネルギー貯蔵手段をさらに含むことを特徴とする、請求項３３に記載のペイメントカード。
【請求項３９】
請求項２７の方法を実行するためのコンピュータ・プログラム・コードを含むことを特徴とするコンピュータ可読媒体。
【請求項４０】
請求項３０の方法を実行するためのコンピュータ・プログラム・コードを含むことを特徴とするコンピュータ可読媒体。
【発明の詳細な説明】
【技術分野】
【０００１】
本発明は、一般に、これらに限られるものではないが、クレジット・カード及びデビット・カードのようなペイメントカード（ｐａｙｍｅｎｔ  ｃａｒｄ）に関する。
【背景技術】
【０００２】
ユーザ及びカードカード保有者に強化された機能を提供するために各々のカード上に小型バッテリを含む、クレジット・カード及びデビット・カードのようなペイメントカードが作られてきた。ペイメントカード分野においては、寿命の長いバッテリをペイメントカードに付加又は統合する傾向があった。
【０００３】
例えば、情報をユーザ又はカード保有者に表示するディスプレイを含むペイメントカードが開発されており、このディスプレイは、ペイメントカード内に含まれるバッテリから電力を引き出すものである。同様に、バッテリを利用して電力を動的磁気ストライプ（ｄｙｎａｍｉｃ  ｍａｇｎｅｔｉｃ  ｓｔｒｉｐｅ）に供給するペイメントカードが開発され、ここでは、動的データをカード上の磁気ストライプに磁気的に書き込み、詐欺の保護のレベルを強化することが可能である。従来のペイメントカード上のこうした動的磁気ストライプ機構は、通常、ペイメントカード内に配置されたバッテリにより電力供給される。
【０００４】
しかしながら、本発明者らによって認識されるように、ペイメントカード内にバッテリを含ませることで設計が複雑になることがあり、一般に、ペイメントカードの製造コストも増大する。さらに、バッテリを有するペイメントカードは、バッテリを含有するあらゆる製品と同様に、適切に廃棄しなければならない。
【発明の概要】
【０００５】
本発明の一実施形態の１つの広範な態様によると、一例として、外部の電磁信号を受信し、ペイメントカードに電力供給するために電磁信号を電気信号に変換する、受信機と、１つ又はそれ以上のデータ信号を生成する、受信機の電気信号と結合されたＣＰＵと、ＣＰＵから１つ又はそれ以上のデータ信号の少なくとも１つを受信し、かつ、受信機からの電気信号に基づいて電力を受け取る、データを表示するディスプレイ（すなわち、永続的ディスプレイ）とを含むペイメントカードがここに開示され、ペイメントカードにより受信された電磁信号に応答して、ＣＰＵは、ディスプレイ上に表示されたデータを変更する。このように、ペイメントカードには、ペイメントカード内にバッテリを組み込む必要性なしに、ディスプレイを設けることができる。
【０００６】
別の実施形態においては、ペイメントカードはまた、ＣＰＵから１つ又はそれ以上のデータ信号の少なくとも１つを受信する、磁気的に読み取り可能なデータを格納する動的磁気ストライプを含むこともでき、動的磁気ストライプは、受信機からの電気信号に基づいて電力を受け取り、ペイメントカードにより受信された電磁信号に応答して、ＣＰＵは、動的磁気ストライプにより格納された磁気的に読み手折り可能なデータを変更する。
【０００７】
別の例において、ペイメントカードはまた、電圧レギュレータに結合された、電磁信号から受け取ったエネルギーを貯蔵する１つ又はそれ以上のエネルギー貯蔵素子を含むこともできる。電圧レギュレータからの第１の電圧レベルの電圧を、ディスプレイと結合されるように適合された第２の電圧レベルの第２の電圧に変換する、１つ又はそれ以上のレベル・シフト回路を設け、電圧レギュレータの１つ又はそれ以上の出力と結合することができる。
【０００８】
本発明の別の実施形態の別の広範な態様によると、別の例において、ペイメントカードに電力供給するために電磁信号を電気信号に変換する、電磁信号を受信する受信機と、電気信号を受信し、かつ、１つ又はそれ以上の調整された電圧信号を供給する、受信機と結合された電圧レギュレータと、１つ又はそれ以上の調整された電圧信号の少なくとも１つを受信し、かつ、１つ又はそれ以上のデータ信号を生成するＣＰＵと、磁気的に読み取り可能なデータを格納し、１つ又はそれ以上の調整された電圧信号の少なくとも１つを受信し、１つ又はそれ以上のデータ信号の少なくとも１つを受信する動的磁気ストライプとを含むペイメントカードがここに開示され、ペイメントカードにより受信された電磁信号に部分的に基づいて、ＣＰＵは、動的磁気ストライプ内に含まれる磁気的に読み取り可能なデータを変更する。このように、ペイメントカードは、ペイメントカード内にバッテリを必要とすることなく、動的磁気ストライプの利点を有することができる。
【０００９】
別の実施形態によると、ペイメントカードはまた、電圧レギュレータと結合された、電磁信号から受け取ったエネルギーを貯蔵する１つ又はそれ以上のエネルギー貯蔵素子を含むこともできる。電圧レギュレータからの第１の電圧レベルの電圧を、ディスプレイと結合されるように適合された第２の電圧レベルの第２の電圧に変換する、１つ又はそれ以上のレベル・シフト回路を設け、電圧レギュレータの１つ又はそれ以上の出力と結合することができる。
【００１０】
必要に応じて、ペイメントカードに、１つ又はそれ以上の調整された電圧信号の少なくとも１つと、１つ又はそれ以上のデータ信号の少なくとも１つを受信する、データを表示するディスプレイ（永続的ディスプレイのような）を設けることができ、ペイメントカードにより受信された電磁信号に部分的に基づいて、ＣＰＵは、ディスプレイにより表示されたデータを変更する。
【００１１】
本発明の別の実施形態の別の広範な態様によると、ペイメントカードを制御する方法がここに開示される。一例として、この方法は、ペイメントカード上にディスプレイを設け、電磁信号を受信し、かつ、電磁信号を電気信号に変換するように適合された受信機をペイメントカード上に設け、電力をディスプレイに印加し、ディスプレイに印加された電力に応答して、ディスプレイのコンテンツを変更する、操作を含むことができる。
【００１２】
この方法はまた、ペイメントカード上に動的磁気ストライプを設け、ディスプレイに印加された電力に応答して、動的磁気ストライプのコンテンツを変更することを含むこともできる。
【００１３】
この方法はまた、電磁信号から受け取ったエネルギーを貯蔵するために、ペイメントカードに１つ又はそれ以上のエネルギー貯蔵素子を設けることを含むこともできる。
【００１４】
一例として、ディスプレイのコンテンツを変更する操作は、新しいデータをディスプレイに書き込むことを含むことができ、動的磁気ストライプのコンテンツを変更する操作は、新しいデータを動的磁気ストライプに書き込むことを含むことができる。
【００１５】
この方法はまた、１つ又はそれ以上の調整された出力電圧を提供し、かつ、１つ又はそれ以上の調整された出力電圧をディスプレイと結合する、受信機と結合された電圧レギュレータを設けることを含むこともできる。この方法はまた、電圧レギュレータからの第１の電圧レベルの電圧を、ディスプレイと連結されるように適合された第２の電圧レベルの電圧に変換する、電圧レギュレータの１つ又はそれ以上の調整された出力電圧と結合された１つ又はそれ以上のレベル・シフト回路を設けることを含むこともできる。
【００１６】
本発明の別の実施形態の別の広範な態様によると、ペイメントカードを操作する方法がここに開示される。一例として、この方法は、電磁信号を受信し、電磁信号を電気信号に変換し、電気信号を調整して１つ又はそれ以上の調整された電圧信号を形成し、１つ又はそれ以上の調整された電圧信号の少なくとも１つをＣＰＵに印加し、１つ又はそれ以上の調整された電圧信号の少なくとも１つをディスプレイに印加し、データをディスプレイに書き込むことを含むことができる。
【００１７】
この方法はまた、１つ又はそれ以上の調整された電圧信号の少なくとも１つを動的磁気ストライプに印加し、磁気的に読み取り可能なデータを動的磁気ストライプ上に格納することを含むこともできる。電磁信号から受け取ったエネルギーを貯蔵することができる。
【００１８】
本発明の別の実施形態の別の広範な態様によると、ペイメントカードを操作する方法がここに開示される。一例として、この方法は、電磁信号を受信し、電磁信号を電気信号に変換し、電気信号を調整して１つ又はそれ以上の調整された電圧信号を形成し、１つ又はそれ以上の調整された電圧信号の少なくとも１つをＣＰＵに印加し、１つ又はそれ以上の調整された電圧信号の少なくとも１つを動的磁気ストライプに印加し、磁気的に読み取り可能なデータを動的磁気ストライプ上に書き込むことを含むことができる。
【００１９】
本発明の別の実施形態の別の広範な態様によると、ペイメントカードがここに開示される。一例として、ペイメントカードは、外部の電磁信号を受信する手段と、ペイメントカードに電力供給するための、電磁信号を１つ又はそれ以上の電気信号に変換する手段と、１つ又はそれ以上の電気信号と結合された、１つ又はそれ以上のデータ信号の生成手段と、１つ又はそれ以上の電気信号と結合されたデータ表示手段とを含むことができる。
【００２０】
別の例において、ペイメントカードはまた、１つ又はそれ以上の電気信号と結合された、磁気的に読み取り可能なデータの格納手段を含むこともできる。ペイメントカードはまた、１つ又はそれ以上の電気信号と結合されたエネルギー貯蔵手段を含むこともできる。
【００２１】
本発明の別の実施形態の別の広範な態様によると、外部の電磁信号を受信する手段と、ペイメントカードに電力供給するための、電磁信号を１つ又はそれ以上の電気信号に変換する手段と、１つ又はそれ以上の電気信号と結合された、１つ又はそれ以上のデータ信号の生成手段と、１つ又はそれ以上の電気信号と結合された、磁気的に読み取り可能なデータの生成手段とを含むことができるペイメントカードが、ここに開示される。ペイメントカードはまた、１つ又はそれ以上の電気信号と結合されたデータ表示手段と、１つ又はそれ以上の電気信号と結合されたエネルギー貯蔵手段とを含むこともできる。
【００２２】
本発明の種々の実施形態の特徴、有用性、及び利点が、添付の図面に示される本発明の実施形態のさらなる特定の説明から明らかになるであろう。
【図面の簡単な説明】
【００２３】
【図１】本発明の一実施形態による、ペイメントカードの一例のブロック図を示す。
【図２】本発明の一実施形態による、カード・リーダー装置により生成される電磁（ＥＭ）場の範囲内にある、図１のペイメントカードのようなペイメントカードを示す。
【図３】本発明の一実施形態による、永続的ディスプレイ部分を有するペイメントカードの１つの例を示す。
【図４】本発明の一実施形態による、動的磁気ストライプ部分を有するペイメントカードの１つの例を示す。
【図５】本発明の一実施形態による、外部ソースからの電力を用いてペイメントカード上のディスプレイを制御する操作の１つの例を示す。
【図６】本発明の一実施形態による、外部ソースからの電力を用いてペイメントカード上のディスプレイを制御する操作の別の例を示す。
【図７】本発明の一実施形態による、外部ソースからの電力を用いてペイメントカード上の動的磁気ストライプを制御する操作の１つの例を示す。
【図８】本発明の一実施形態による、外部ソースからの電力を用いてペイメントカード上の動的磁気ストライプを制御する操作の別の例を示す。
【発明を実施するための形態】
【００２４】
本発明の実施形態は、永続的ディスプレイ（ｐｅｒｓｉｓｔｅｎｔ  ｄｉｓｐｌａｙ）及び／又は動的磁気ストライプなどのカード機能を提供しながら、外部ソースから電力を動的に受け取る（すなわち、バッテリを使用せずに）ペイメントカードを提供するものである。一例として、ペイメントカードには、データを表示するための永続的ディスプレイ及び／又は動的磁気ストライプが設けられ、ペイメントカードは、電磁場のような外部ソースから電力を動的に受け取り、その電力を用いて、ディスプレイにより表示されたデータの状態変更を行なう、及び／又は、その電力を用いて、ペイメントカードの動的磁気ストライプ内に含まれるデータの状態変更を行なう。このように、ペイメントカード内へのバッテリに対する必要性なしに、ディスプレイ及び／又は動的磁気ストライプのようなセキュリティ機能（ｆｅａｔｕｒｅ）をペイメントカードに組み込むことができる。本発明の種々の実施形態をここに説明する。
【００２５】
図１を参照すると、本発明の一実施形態による、ペイメントカード１０の１つの例が示される。図１の例のペイメントカード１０は、受信機１２と、データ又は情報を表示するためのディスプレイ１４と、磁気的に読み取り可能なデータを格納するための動的磁気ストライプ１６とを含む。ペイメントカード１０はまた、ＣＰＵ１８（中央処理ユニット）と、エネルギー貯蔵素子２０と、電圧レギュレータ２２と、１つ又はそれ以上のレベル・シフタ２４とを含むこともできる。
【００２６】
受信機１２は、外部の電磁信号２６（図２）を受信し、ペイメントカード１０に電力供給するために電磁信号２６を電力（すなわち、電気信号２８）に変換するために設けられる。ＣＰＵ１８が設けられ、受信機１２の電気信号２８と（直接的に又は間接的に）結合させることができる。ＣＰＵ１８は、１つ又はそれ以上のデータ信号３０を生成することができ、データ信号３０の一部分をディスプレイ１４と結合することができ、データ信号３０の別の（又は、同じ）部分を動的磁気ストライプ１６と結合することができる。例えば、ディスプレイ１４は、受信機１２からの電気信号２８に基づいて（直接的に又は間接的に）電力を受け取ることができ、動的磁気ストライプ１６は、受信機１２からの電気信号２８に基づいて（直接的に又は間接的に）電力を受け取ることができる。ペイメントカード１０により受信された電磁信号２６に応答して、ディスプレイ１４上に表示されたデータを変更することができ、必要に応じて、動的磁気ストライプ１６により格納された磁気的に読み取り可能なデータを変更することができる。
【００２７】
ここで用いられる「ペイメントカード」という用語は、これらに限られるものではないが、例えば、クレジット・カード、デビット・カード、バンク・カード、店が発行したカード、プリペイド・カード、非接触型カード、ギフト・カード、これらの機能の１つ又はそれ以上を組み合わせるカード、又は顧客が現金支払いの代わりに使うことができるいずれかの従来のペイメントカードを含み、これらの用語は、本明細書では同義的に用いられる。
【００２８】
本発明の実施形態によると、ペイメントカード１０には、特定の実施に応じてディスプレイ１４を設けてもよく、動的磁気ストライプ１６を設けてもよく、又はディスプレイ１４及び動的磁気ストライプ１６の両方を設けてもよい。
【００２９】
一例として、非接触型受信機１２の出力２８は、これに限られるものではないが、約１．２５ボルトといった低電圧を含むことができる、ＤＣ電圧のような電圧信号である。
【００３０】
一例として、ペイメントカード１０内に電圧レギュレータ２２を設けることができ、電圧レギュレータ２２は、非接触型受信機１２の出力２８に結合される。電圧レギュレータ２２は、ペイメントカード１０内の他のコンポーネントにより用いるための安定した又は調整された出力電圧３２を与えることができる。例えば、電圧レギュレータ２２は、非接触型受信機１２から受信した出力信号２８を安定させ、調整電圧３２をペイメントカード１０内の他のコンポーネントに与えるために、ダイオード、抵抗器、又はコンデンサといった回路素子を含むことができる。電圧レギュレータ２２は、調整された電圧３２を与えるため、又は、電圧レギュレータ２２上の出力電圧３２を安定させるための任意の従来の回路又はコンポーネントを含むことができる。
【００３１】
一例として、ペイメントカード１０内にエネルギー貯蔵素子又は回路２０を設けることができる。図１に示されるように、非接触型受信機１２から受け取ったエネルギーを貯蔵し、そのエネルギーを電圧レギュレータ２２の入力に与えるために、一例として、エネルギー貯蔵素子２０を非接触型受信機１２の出力２８と結合することができる。代替的に又は付加的に、エネルギーを貯蔵し、そのエネルギー（電圧／電流）を、ペイメントカード１０内の電圧レギュレータ２２の下流にあるコンポーネントに与えるように、電圧レギュレータ２２の出力３２上に貯蔵素子２０を配置することもできる。エネルギー貯蔵素子２０は、これらに限られるものではないが、コンデンサ、インダクタ、又は他の従来のエネルギー貯蔵素子、或いはエネルギーを貯蔵する従来の回路を含むことができる。
【００３２】
一例として、ディスプレイ１４又は動的磁気ストライプ１６により利用される電圧レベル３４を与える又は生成するために、１つ又はそれ以上のレベル・シフタ、電圧変換回路、又は電圧トランスレータ回路２４を設けることができる。
【００３３】
例えば、電圧レギュレータ２２からの電圧出力３２が、単に例証として、約３．５ボルトであり、ディスプレイ１４が、新しいデータをディスプレイ１４に書き込むために約４０ボルトの電圧（単に例証として）を必要とする場合、一例として、３．５ボルトの信号を４０ボルトの信号に変換するために、レベル・シフタ／電圧トランスレータ２４を設けることができる。
【００３４】
代替的に、電圧レギュレータ２２は、ＣＰＵ１８、ディスプレイ１４、及び／又は動的磁気ストライプ１６、又は他のコンポーネントに電圧を供給するために、各々が異なる電圧レベルである複数の出力電圧信号３２を備えることができる。
【００３５】
特定の実施に応じて、電圧信号をシフトさせるために、１つ又はそれ以上のレベル・シフタ／電圧トランスレータ２４は、任意の従来の回路又は機構を用いることができる。
【００３６】
一般に、非接触型受信機１２は、カード・リーダー装置４０（図２）から電磁（ＥＭ）／無線周波数（ＲＦ）信号２６を受信し、その電磁信号２６は、ペイメントカード１０の回路コンポーネントが利用することができる電気エネルギー／電力（すなわち、電圧及び電流）に変換される。次に、外部の電磁場２６から受け取った電力に基づいてＣＰＵ１８が作働され、次いで、ＣＰＵ１８は、データ（すなわち、新しいデータ値）をディスプレイ１４に制御可能に書き込むことによって、ディスプレイ１４の状態を変更することができる。同様に、ＣＰＵ１４は、データ（すなわち、新しいデータ）を動的磁気ストライプ１６に書き込むことによって、動的磁気ストライプ１６の状態を変更することができる。
【００３７】
図１に示されるように、外部ソース、電磁場２６から受け取ったエネルギーに基づいて、ＣＰＵ１８に電力が供給される。ＣＰＵ１８は、例えば、ディスプレイ１４を制御するために結合された１つ又はそれ以上の出力２９、３０（これらの信号は、データ信号３０、制御信号２９、又は両方とすることができる）、及び／又は、動的磁気ストライプ１６を制御するために結合された１つ又はそれ以上の出力２９、３０（これらの信号は、データ信号３０、制御信号２９、又は両方とすることができる）といった、１つ又はそれ以上の出力２９、３０を有することができる。ＣＰＵ１８はまた、エネルギーを保存するため又はエネルギーを効率的に利用するために、ペイメントカード１０の回路セクションを選択的にイネーブル又はディスエーブルにするといった、ペイメントカード内の他の回路素子を作働させるため又は作働停止させるために用いることができる他の出力を含むこともできる。
【００３８】
特定の実施に応じて、ＣＰＵ１８は、これらに限られるものではないが、任意の論理回路、集積回路、プログラム可能論理回路、マイクロプロセッサ、マイクロコントローラ、又は他の従来の処理を含むことができ、オンボード・メモリ又は外部メモリ、インターフェース回路、タイミング回路、クロック回路、又は他の従来の回路のような、従来よりＣＰＵと関連付けられている他のコンポーネントを含むこともできる。必要に応じて、ＣＰＵ１８は、その開示の全体が引用によりここに組み入れられる、ｈｔｔｐ：／／ｅｍｖｃｏ．ｃｏｍ／ｓｐｅｃｉｆｉｃａｔｉｏｎｓ．ａｓｐで入手できる、公的に利用可能なＥＭＶＣｏ社の仕様「ＥＭＶ  Ｃａｒｄ  Ｐｅｒｓｏｎａｌｉｚａｔｉｏｎ  Ｓｐｅｃｉｆｉｃａｔｉｏｎ（ＥＭＶカード個別化仕様）」２００３年６月ｖ１．０に準拠することができる。
【００３９】
ディスプレイ１４は、これらに限られるものではないが、一旦書き込まれると、所望のデータを表示し、ディスプレイが再書き込みされるか又は他の方法で変更されるまで、そのデータの表示を永続的に維持する永続的ディスプレイを含むことができる。ディスプレイ１４は、例えば、固定セグメント・ディスプレイ、ドット・マトリクス・ディスプレイ、周囲光を用いてユーザ又はカード保有者により読み取ることができるポジ型又はネガ型反射ディスプレイ、液晶ディスプレイ、又は他の従来のディスプレイとすることができる。
【００４０】
図３に示されるように、ディスプレイ１４は、例えば、カードの表面４４上に配置することができる、或いは、他の実施形態においては、カードの裏面４６上に配置することができる、１組の固定セグメント文字４２を含むことができる。別の実施形態においては、ディスプレイ１４の部分は、ペイメントカード１０の表面４４上に配置し、ディスプレイ１４の他の部分は、ペイメントカード１０の裏面４６上に配置してもよい。
【００４１】
一実施形態においては、ペイメントカード１０は、図４に示されるように、典型的にはペイメントカード１０の裏面の長さに沿って配置された磁気ストライプ４８を含む動的磁気ストライプ１６を備えることができる。磁気ストライプ１６、４８は、ペイメントカードの情報を含み、ペイメントカード１０が磁気支払装置により物理的に走査されるときに、磁気ストライプ１６、４８内にコード化されているデータが磁気カード・リーダーによって読み取られるようにする。動的磁気ストライプ１６を用いて、ペイメントカード１０の磁気ストライプ４８の１つ又はそれ以上の部分を磁気的に変更することができる。一例として、動的磁気ストライプ１６は、ペイメントカード１０の磁気ストライプ４８内に格納された１つ又はそれ以上の値を制御可能に変更する（すなわち、書き込む）ことができる磁気ストライプ・ライター又はレコーダー５０を含む。
【００４２】
１つの例示的な実施形態においては、動的磁気ストライプ１６は、ペイメントカードが非接触型カード・リーダー装置４０（図２）の電磁場２６内に配置されたときに、磁気ストライプ４８内にコード化される新しいデータを有することができる。磁気ストライプ４８内にコード化された値の１つ又はそれ以上を変更することによって、本発明の幾つかの実施形態は、固有のトランザクション・データを作成することができ、それにより、ペイメントカード１０のセキュリティを強化することができる。
【００４３】
図５−図８は、本発明の１つ又はそれ以上の実施形態による、ペイメントカード（ペイメントカード１０のような）により実行することができ、又はこれと共に用いることができ、或いはこの内部で実施することができる種々の操作の例を示す。
【００４４】
図５−図６は、本発明の幾つかの実施形態による、電磁／ＲＦ場２６などの外部ソースから受け取った電力を用いて、ペイメントカード１０上のディスプレイ１４の状態又はコンテンツを変更する操作の例を示す。図５は、ペイメントカード１０が電磁／ＲＦ場２６内にある間、ディスプレイ１４の状態又はコンテンツを変更する操作の例を示し、図６は、ペイメントカード１０が電磁／ＲＦ場２６の外に出た後にディスプレイ１４の状態又はコンテンツを変更する操作の例を示す。
【００４５】
この例示の目的で図５を参照すると、ディスプレイ１４は、既に既存のデータで書き込まれており、操作６０（随意的な）に示されるように、現在こうした既存のデータを表示しているとものとするが、図５及び図６の１つ又はそれ以上の操作を用いて、最初に、データをディスプレイ１４に初めて書き込むこともできる。
【００４６】
操作６２において、ペイメントカードは、電磁／ＲＦ場内に配置されると電磁場エネルギーを受け取り、電源が入る（すなわち、非接触型受信機１２がＥＭ／ＲＦエネルギーを受け取り、ペイメントカード１０の電圧レギュレータ２２及びエネルギー貯蔵素子２０が作働される）。操作６４において、例えば、電圧レギュレータ２２によって調整された外部の電磁／ＲＦ場から受け取った電力を用いて、ＣＰＵの電源が入れられる。操作６６において、ＣＰＵは、表示のために新しいデータを作成及び／又は獲得する。特定の実施に基づいて、表示されるデータは、表示することが望まれるいずれのタイプのデータを含むこともできる。操作６８において、ディスプレイを書き込み可能にするために、電力がディスプレイに印加される。言い換えれば、ディスプレイの状態又はコンテンツを変更するために、操作６８を用いて電力をディスプレイに選択的に印加することができる。操作７０において、ＣＰＵは新しいデータをディスプレイに書き込み、操作７２において、ディスプレイは、新しいデータを好ましくは永続的な方法で表示する。操作７４において、ディスプレイから電力が除去され、これにより、将来新しいデータがディスプレイに書き込まれるまで、ディスプレイのコンテンツに対してどのような追加の状態変更もできなくなる。ペイメントカードを電磁／ＲＦ場の範囲外に移動させることができ、操作７６において、ＣＰＵの電源を切ることができる。
【００４７】
図６においては、必要に応じて、一例として、ペイメントカードが電磁／ＲＦ場の範囲の外に移動された後、新しいデータをディスプレイに書き込むことができる。図６に示されるように、ペイメントカードが電磁／ＲＦ場の範囲からの外に移動された後、操作６６において、ＣＰＵは、ディスプレイのための新しいデータを作成又は取得し、操作６８において、ペイメントカードのエネルギー貯蔵素子からの電力を用いて及び／又は利用して、ディスプレイを書き込み可能にする。操作７０において、この例におけるエネルギー貯蔵素子から得られた電力の下で作働するＣＰＵが、新しいデータをディスプレイに書き込み、操作７２において、ディスプレイは、一例として、新しいデータを永続的に表示する。
【００４８】
操作６６は、ペイメントカードが電磁／ＲＦ場の範囲の外に移動された後に行なわれるものとして示されるが、別の例においては、操作６６はペイメントカードが電磁／ＲＦ場の範囲の外に移動される前に行なわれ、操作６８はペイメントカードが電磁／ＲＦ場の範囲の外に移動された後に行なわれる。
【００４９】
図７−図８は、本発明の幾つかの実施形態による、電磁場などの外部ソースからの電力を用いて、ペイメントカード（ペイメントカード１０など）上の動的磁気ストライプを制御するための操作の種々の実施形態を示す。図７においては、この例示の目的で、動的磁気ストライプは既存のデータを含み、その操作８２−９０を用いて、ペイメントカードの磁気ストライプ内に格納された又はコード化された値を変更できるものとする。必要に応じて、操作８２−９０又はその変形を用いて、最初に磁気ストライプ内に含まれるデータの１つ又はそれ以上の部分に書き込みを行なうことができることは理解される。
【００５０】
ペイメントカードが電磁／ＲＦ場内に置かれると、操作８２において、ペイメントカードは、電磁場を受け、そこから電力を得る（すなわち、ペイメントカード１０の電圧レギュレータ２２及び／又はエネルギー貯蔵素子２０は、ＥＭ場２６から電力供給される）。操作８４において、電磁／ＲＦ場により与えられた電力（すなわち、一例として、非接触型受信機１２及び電圧レギュレータ２２により変換された）を用いてＣＰＵの電源を入れる。操作８６において、ＣＰＵは、磁気ストライプの動的部分に書き込まれる新しいデータを作成又は取得し、この新しいデータは、磁気ストライプ内にコード化される１つ又はそれ以上のデータ値を含むことができる。
【００５１】
操作８８において、新しいデータを動的磁気ストライプに書き込むことを可能にするために、電力が動的磁気ストライプに与えられる。操作９０において、ＣＰＵは、新しいデータを動的磁気ストライプに書き込む。操作９０で、磁気ストライプの１つ又はそれ以上の部分上に新しいデータを記録し、これにより、動的磁気ストライプの状態が変更される。
【００５２】
操作９２において、電力が動的磁気ストライプから除去され（すなわち、これにより書き込み操作ができなくなる）、ペイメントカードが電磁／ＲＦ場の範囲外に出ると、操作９４において、ＣＰＵの電力の電源を切る。
【００５３】
図８において、ペイメントカードが電磁場の範囲外に出た後、新しいデータが動的磁気ストライプに書き込まれる。一例として、操作８６において、ＣＰＵは、動的磁気ストライプに書き込みを行なうために新しいデータを作成又は取得する（しかしながら、他の実施形態においては、ペイメントカードが電磁場の範囲内にある間に、この操作を行なうことができる）。操作８８において、新しいデータを動的磁気ストライプに書き込むために、エネルギー貯蔵素子からの電力が利用され、動的磁気ストライプに印加される。操作９０において、ＣＰＵは、新しいデータを動的磁気ストライプに書き込み、新しいデータは、ペイメントカードの磁気ストライプの１つ又はそれ以上の部分に記録される。この理由から、この例においては、操作８８−９０は、ペイメントカードが電磁／ＲＦ場の範囲外に出た後に行なうことができる。
【００５４】
従って、本発明の実施形態は、ディスプレイ１４及び／又は動的磁気ストライプ１６を有するペイメントカード１０を提供するように構成することができ、このペイメントカード１０は内部のバッテリを利用しない。
【００５５】
別の例示的な実施形態において、ペイメントカード１０は、（受信機１２内に含まれ得る）外部の電磁信号２６の受信手段を含むことができ、こうした手段１２は、インダクタ、アンテナ、コンデンサ、抵抗器、ダイオード、或いは他の従来の回路素子又はその組み合わせのような、ＥＭ信号を受信するためのいずれかの従来の回路又は回路素子を含むことができる。ペイメントカード１０は、ペイメントカードに電力供給するために、（受信機１２又はレギュレータ２２内に含まれ得る）電磁信号２６を１つ又はそれ以上の電気信号に変換する手段を含むことができ、こうした手段は、（いずれかの従来のタイプの）電圧レギュレータ、レベル・シフタ、電圧トランスレータ、電気信号変換器、又は他の従来の回路を含むことができる。
【００５６】
ペイメントカード１０はまた、特定の実施に応じて、ＣＰＵ、論理、ＰＬＤ（プログラム可能論理デバイス）、集積回路、マイクロプロセッサ、マイクロコントローラ、又は他の従来のプログラムのような、１つ又はそれ以上のデータ信号の生成手段１８を含むこともでき、かつ、オンボード・メモリ又は外部メモリ、インターフェース回路、タイミング回路、クロック回路、又は他の従来の回路のような、従来よりＣＰＵと関連付けられている他のコンポーネントを含むこともできる。
【００５７】
ペイメントカード１０はまた、ディスプレイ、固定セグメント・ディスプレイ、ドット・マトリクス・ディスプレイ、周囲光を用いてユーザ又はカード保有者が読み取ることができるポジ型又はネガ型反射ディスプレイ、液晶ディスプレイ、又は他の従来のディスプレイのような、データ表示手段１４を含むこともできる。
【００５８】
ペイメントカード１０はまた、動的磁気ストライプ、書き込み可能磁気ストライプ、又はいずれかの従来の磁気記憶機構のような、磁気的に読み取り可能なデータの格納手段１６を含むこともできる。
【００５９】
ペイメントカード１０はまた、エネルギー貯蔵手段２０を含むこともでき、この手段は、１つ又はそれ以上の電気信号と結合することができる。エネルギー貯蔵手段は、インダクタ、コンデンサ、又はいずれかの従来のエネルギー貯蔵素子のような、１つ又はそれ以上の電気回路素子を含むこともできる。
【００６０】
本発明の実施形態は、適切な命令実行プラットフォーム、プロセッサ、ハードウェア等と組み合わせて、適切なソフトウェア又はコンピュータ・プログラム・コード命令により実施することができる。これらの命令は、ＣＰＵに、本発明の実施形態に従ったカードの操作を制御させることができるコンピュータ・プログラム製品の形態にすることができる。説明される機能を実行するためのハードウェア及びソフトウェアの組み合わせが、本発明の実施形態のプロセス及び／又はサブプロセスを実行するための手段を形成することができる。この点で、フローチャート又はブロック図の各ブロックは、モジュール、セグメント、動作、或いはコードの部分を表すことができ、指定された論理機能を実施するための１つ又はそれ以上の実行可能命令又は動作を含む。さらに、本発明の実施形態は、ハードウェアの実施形態、ソフトウェアの実施形態（ファームウェア、常駐ソフトウェア、マイクロコードなどを含む）、又はソフトウェア態様及びハードウェア態様を組み合わせた実施形態の形態をとることができる。
【００６１】
本発明の実施形態に従ったカードを操作するためのコンピュータ・プログラム・コードは、カード自体の上に常駐するのに加えて、カードのアセンブル中に種々の場所に常駐し得ることを考慮に入れて、いずれの適切なコンピュータ使用可能媒体又はコンピュータ可読媒体を利用することもできる。コンピュータ使用可能媒体又はコンピュータ可読媒体は、例えば、これらに限られるものではないが、電子、磁気、光学、電磁、赤外線、又は半導体システム、装置、デバイス、又は伝播媒体とすることができる。コンピュータ可読媒体のより具体的な例（非網羅的なリスト）として、以下のもの、すなわち、１つ又はそれ以上配線を有する電気的接続、ポータブル・コンピュータ・ディスケット、ハード・ディスク、ランダム・アクセス・メモリ（ＲＡＭ）、読み取り専用メモリ（ＲＯＭ）、消去可能プログラム可能読み取り専用メモリ（ＥＰＲＯＭ又はフラッシュ・メモリ）、光ファイバ、ポータブル・コンパクト・ディスク読み取り専用メモリ（ＣＲ−ＲＯＭ）、光記憶装置、インターネット若しくはイントラネットをサポートするもののような伝送媒体、又は、磁気記憶装置が挙げられる。プログラムは、例えば紙又は他の媒体の光学走査を介して電子的に取り込み、次いで、必要に応じて、コンパイルするか、解釈するか、又は適切な方法で処理し、次いでコンピュータのメモリに格納することができるため、コンピュータ使用可能媒体又はコンピュータ可読媒体は、プログラムが印刷された紙又は別の適切な媒体とすることさえ可能であることに留意されたい。
【００６２】
本明細書との関連において、コンピュータ使用可能媒体又はコンピュータ可読媒体は、命令実行システム、プラットフォーム、装置、若しくはデバイスによって、又はそれらと接続して、使用するためのプログラムを含み、格納し、通信し、伝搬し、又は、移送することが可能ないずれかの媒体とすることができる。コンピュータ使用可能媒体は、ベースバンド内に又は搬送波の部分として、それにより具体化されたコンピュータ使用可能プログラム・コードを有する伝搬データ信号を含むことができる。コンピュータ使用可能プログラム・コードは、これらに限られるものではないが、インターネット、有線、光ファイバ・ケーブル、無線周波数（ＲＦ）、又は他の手段を含む、任意の適切な媒体を用いて伝送することができる。
【００６３】
本発明の実施形態を実行するためのコンピュータ・プログラム・コードは、Ｊａｖａ（登録商標）、Ｐｅｒｌ、Ｓｍａｌｌｔａｌｋ、又はＣ＋＋などのオブジェクト指向プログラミング言語、スプリクト・プログラミング言語、又は非スクリプト・プログラミング言語で書くことができる。しかしながら、本発明の実施形態を実行するためのコンピュータ・プログラム・コードはまた、例えば「Ｃ」プログラミング言語などの従来の手続き型プログラミング言語又は同様のプログラミング言語で書くこともできる。本明細書で説明される機能及び機能の組み合わせは、指定された機能又は動作を実行する特定用途のハードウェア・ベースのシステム又はオペレータにより実施できることにも留意すべきである。
【００６４】
本明細書に開示される方法を、特定の順序で実行される特定の操作に関連して説明し示したが、本発明の教示から逸脱することなく、これらの操作を組み合わせ、細分し、又は並べ替えて、同等の方法を形成できることが理解されるであろう。従って、ここに明確に示されない限り、操作の順序及びグループ分けは、本発明を制限するものではない。
【００６５】
本明細書の全体にわたる「一実施形態（ｏｎｅ  ｅｍｂｏｄｉｍｅｎｔ）」又は「１つの実施形態（ａｎ  ｅｍｂｏｄｉｍｅｎｔ）」、或いは「一例（ｏｎｅ  ｅｘａｍｐｌｅ）」又は「１つの例（ａｎ  ｅｘａｍｐｌｅ）」への言及は、必要に応じて、実施形態に関連して説明される特定の特徴、構造、又は特性を、本発明の少なくとも１つの実施形態内に含ませ得ることを意味することを理解すべきである。従って、本明細書の種々の部分における「１つの実施形態」若しくは「一実施形態」、又は「代替的な実施形態」、或いは「一例」又は「１つの例」への２つ又はそれ以上の言及は、必ずしも全てが同じ実施形態に言及するとは限らないことを理解すべきである。
【００６６】
本発明の例示的な実施形態の上記の説明において、本発明の種々の特徴は、多くの場合、開示を簡素化し、種々の本発明の態様の１つ又はそれ以上の理解を助ける目的で、その単一の実施形態、図面、又は説明において互いにグループ分けされることを理解すべきである。本発明の態様は、決して、上記に開示された単一の実施形態の全ての特徴内にあるわけではなく、本明細書に説明された各々の実施形態は、１つより多い本発明の特徴を含むことができる。
【００６７】
本発明はその実施形態に関連して特に示され説明されたが、当業者であれば、本発明の精神及び範囲から逸脱することなく、形態及び詳細の種々の他の変更をなし得ることを理解するであろう。
【符号の説明】
【００６８】
１０：ペイメントカード
１２：受信機
１４：ディスプレイ
１６、４８：磁気ストライプ
１８：ＣＰＵ
２０：エネルギー貯蔵素子
２２：電圧レギュレータ
２４：レベル・シフタ
２６：電磁信号
２８：電気信号
３０：データベース信号
３２：電圧出力
【図１】
2010521739.tif 000003
【図２】
2010521739.tif 000004
【図３】
2010521739.tif 000005
【図４】
2010521739.tif 000006
【図５】
2010521739.tif 000007
【図６】
2010521739.tif 000008
【図７】
2010521739.tif 000009
【図８】
2010521739.tif 000010
【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
ペイメントカードであって、
外部の電磁信号を受信し、前記ペイメントカードに電力供給するために電磁信号を電気信号に変換するように作働可能な受信機と、
１つ又はそれ以上のデータ信号を生成するように作働可能な、前記受信機の前記電気信号と結合されたＣＰＵと、
前記受信機からの前記電気信号に基づいて電力を受け取るように作働可能な、前記ＣＰＵから前記１つ又はそれ以上のデータ信号の少なくとも１つを受信するディスプレイと、
電圧レギュレータからの第１の電圧レベルの電圧を、前記ディスプレイと結合されるように適合された第２の電圧レベルの第２の電圧に変換するように作働可能な、前記電圧レギュレータの１つ又はそれ以上の出力と結合された１つ又はそれ以上のレベル・シフト回路と、
前記ＣＰＵからの前記１つ又はそれ以上のデータ信号の少なくとも１つを受信するよう作動可能であり、かつ、前記受信機からの前記電気信号に基づいて電力を受け取るようにさらに作働可能な、磁気的に読み取り可能なデータを格納する動的磁気ストライプと、
を含み、
前記ペイメントカードにより受信された前記電磁信号に応答して、前記ＣＰＵは、データを永続的に表示するように作働可能な前記ディスプレイ上に既に表示されたいずれのデータも異なるデータに変更し、かつ、前記動的磁気ストライプにより格納された前記磁気的に読み取り可能なデータを変更することを特徴とするペイメントカード。
【請求項２】
前記ペイメントカードはバッテリを含まないことを特徴とする、請求項１に記載のペイメントカード。
【請求項３】
前記電圧レギュレータと結合された、前記電磁信号から受け取ったエネルギーを貯蔵する１つ又はそれ以上のエネルギー貯蔵素子をさらに含むことを特徴とする、請求項１に記載のペイメントカード。
【請求項４】
ペイメントカードであって、
外部の電磁信号を受信し、該電磁信号を電気信号に変換するように作働可能な受信機と、
前記電気信号を受信するよう作動可能であり、かつ、１つ又はそれ以上の調整された電圧信号を与えるように作働可能な、前記受信機と結合された電圧レギュレータと、
１つ又はそれ以上のデータ信号を生成するように作働可能な、前記１つ又はそれ以上の調整された電圧信号の少なくとも１つを受信するＣＰＵと、
前記１つ又はそれ以上の調整された電圧信号の少なくとも１つを受信するよう作動可能であり、かつ、前記ＣＰＵからの前記１つ又はそれ以上のデータ信号の少なくとも１つを受信するように作働可能な、データを表示するディスプレイと、
を含み、
前記ペイメントカードにより受信される前記電磁信号に部分的に基づいて、前記ＣＰＵは、前記ディスプレイにより表示される前記データを変更し、これを該ディスプレイ上に永続的に格納するように作働可能であることを特徴とするペイメントカード。
【請求項５】
前記ペイメントカードはバッテリを含まないことを特徴とする、請求項４に記載のペイメントカード。
【請求項６】
前記電磁信号から受け取ったエネルギーを貯蔵するための、前記電圧レギュレータと結合された１つ又はそれ以上のエネルギー貯蔵素子をさらに含むことを特徴とする、請求項４に記載のペイメントカード。
【請求項７】
前記電圧レギュレータからの第１の電圧レベルの電圧を、前記ディスプレイと結合されるように適合された第２の電圧レベルの第２の電圧に変換するように作働可能な、該電圧レギュレータの前記１つ又はそれ以上の出力と結合された１つ又はそれ以上のレベル・シフト回路をさらに含むことを特徴とする、請求項４に記載のペイメントカード。
【請求項８】
前記１つ又はそれ以上の調整された電圧信号の少なくとも１つを受信するように作働可能であり、かつ、前記１つ又はそれ以上のデータ信号の少なくとも１つを受信するようにさらに作働可能な、磁気的に読み取り可能なデータを格納する動的磁気ストライプをさらに含むことを特徴とする、請求項４に記載のペイメントカード。
【請求項９】
前記電圧レギュレータからの第１の電圧レベルの電圧を、前記ディスプレイと結合されるように適合された第３の電圧レベルの第３の電圧に変換するように作働可能な、該電圧レギュレータの前記１つ又はそれ以上の出力と結合された１つ又はそれ以上のレベル・シフト回路をさらに含むことを特徴とする、請求項８に記載のペイメントカード。
【請求項１０】
ペイメントカードであって、
外部の電磁信号を受信し、前記ペイメントカードに電力供給するために前記電磁信号を電気信号に変換するように作働可能な受信機と、
前記電気信号を受信するよう作動可能であり、かつ、１つ又はそれ以上の調整された電圧信号を与えるように作働可能な、前記受信機と結合された電圧レギュレータと、
前記１つ又はそれ以上の調整された電圧信号の少なくとも１つを受信するよう作動可能であり、かつ、１つ又はそれ以上のデータ信号を生成するように作働可能なＣＰＵと、
前記１つ又はそれ以上の調整された電圧信号の少なくとも１つを受信するよう作動可能であり、かつ、前記１つ又はそれ以上のデータ信号の少なくとも１つを受信するように作働可能な、磁気的に読み取り可能なデータを格納する動的磁気ストライプと、
を含み、
前記ペイメントカードにより受信された前記電磁信号に応答して、前記ＣＰＵは、前記動的磁気ストライプ内に含まれる前記磁気的に読み取り可能なデータの１つ又はそれ以上の部分を変更することを特徴とするペイメントカード。
【請求項１１】
前記ペイメントカードはバッテリを含まないことを特徴とする、請求項１０に記載のペイメントカード。
【請求項１２】
前記電圧レギュレータと結合された、前記電磁信号から受け取ったエネルギーを貯蔵する１つ又はそれ以上のエネルギー貯蔵素子をさらに含むことを特徴とする、請求項１０に記載のペイメントカード。
【請求項１３】
前記電圧レギュレータからの第１の電圧レベルの電圧を、ディスプレイと結合されるように適合された第２の電圧レベルの第２の電圧に変換するように作働可能な、該電圧レギュレータの前記１つ又はそれ以上の出力と結合された１つ又はそれ以上のレベル・シフト回路をさらに含むことを特徴とする、請求項１０に記載のペイメントカード。
【請求項１４】
前記１つ又はそれ以上の調整された電圧信号の少なくとも１つを受信するように作動可能であり、かつ、前記１つ又はそれ以上のデータ信号の少なくとも１つを受信するようにさらに作働可能な、データを表示するディスプレイをさらに含み、前記ペイメントカードにより受信される前記電磁信号に部分的に基づいて、前記ＣＰＵは、前記ディスプレイにより表示される前記データを変更するように作働可能であることを特徴とする、請求項１０に記載のペイメントカード。
【請求項１５】
前記ディスプレイは、前記データを永続的に表示するように作働可能であることを特徴とする、請求項１４に記載のペイメントカード。
【請求項１６】
ペイメントカードを形成する方法であって、
前記ペイメントカード上に永続的ディスプレイを設け、
電磁信号を受信するよう作動可能であり、かつ、前記電磁信号を電力に変換するよう適合された受信機を前記ペイメントカード上に設け、
前記電力を前記ディスプレイに印加することを提供し、
前記ディスプレイに印加された前記電力に応答して、該永続的ディスプレイのコンテンツを変更を提供することを提供する、
ことを含むことを特徴とする方法。
【請求項１７】
前記ペイメントカード上に動的磁気ストライプを設け、
前記ディスプレイに印加された前記電力に応答して、前記動的磁気ストライプのコンテンツを変更する、
ことをさらに含むことを特徴とする、請求項１６に記載の方法。
【請求項１８】
前記永続的ディスプレイのコンテンツを変更する操作は、新しいデータを該永続的ディスプレイに書き込むことを含むことを特徴とする、請求項１６に記載の方法。
【請求項１９】
前記動的磁気ストライプのコンテンツを変更する操作は、新しいデータを該動的磁気ストライプに書き込むことを含むことを特徴とする、請求項１７に記載の方法。
【請求項２０】
前記電磁信号から受け取ったエネルギーを貯蔵するために１つ又はそれ以上のエネルギー貯蔵素子を設けることをさらに含むことを特徴とする、請求項１６に記載の方法。
【請求項２１】
１つ又はそれ以上の調整された出力電圧を与える、前記受信機と結合された電圧レギュレータを設け、
前記１つ又はそれ以上の調整された出力電圧を前記ディスプレイと結合する、
ことをさらに含むことを特徴とする、請求項１６に記載の方法。
【請求項２２】
前記電圧レギュレータからの第１の電圧レベルの電圧を、前記ディスプレイと結合されるように適合された第２の電圧レベルの第２の電圧に変換する、該電圧レギュレータの前記１つ又はそれ以上の調整された出力電圧と結合された１つ又はそれ以上のレベル・シフト回路を設けることをさらに含むことを特徴とする、請求項１６に記載の方法。
【請求項２３】
ペイメントカードを操作する方法であって、
電磁信号を受信し、
前記電磁信号を電気信号に変換し、
前記電気信号を調整して、１つ又はそれ以上の調整された電圧信号を形成し、
前記１つ又はそれ以上の調整された電圧信号の少なくとも１つをＣＰＵに印加し、
前記１つ又はそれ以上の調整された電圧信号の少なくとも１つをＣＰＵに印加することに応答して、該１つ又はそれ以上の調整された電圧信号の少なくとも１つをディスプレイに印加し、
データを前記ディスプレイに永続的に書き込む、
ことを含むことを特徴とする方法。
【請求項２４】
前記１つ又はそれ以上の調整された電圧信号の少なくとも１つを動的磁気ストライプに印加し、
磁気的に読み取り可能なデータを前記動的磁気ストライプ上に格納する、
ことをさらに含むことを特徴とする、請求項２３に記載の方法。
【請求項２５】
前記電磁信号から受け取ったエネルギーを貯蔵することをさらに含むことを特徴とする、請求項２３に記載の方法。
【請求項２６】
ペイメントカードを操作する方法であって、
電磁信号を受信し、
前記電磁信号を電気信号に変換し、
前記電気信号を調整して、１つ又はそれ以上の調整された電圧信号を形成し、
前記１つ又はそれ以上の調整された電圧信号の少なくとも１つをＣＰＵに印加し、
前記１つ又はそれ以上の調整された電圧信号の少なくとも１つをＣＰＵに印加することに応答して、該１つ又はそれ以上の調整された電圧信号の少なくとも１つを動的磁気ストライプに印加し、
磁気的に読み取り可能なデータを前記動的磁気ストライプ上に格納する、
ことを含むことを特徴とする方法。
【請求項２７】
前記１つ又はそれ以上の調整された電圧信号の少なくとも１つをディスプレイに印加し、
データを前記ディスプレイに書き込む、
ことをさらに含むことを特徴とする、請求項２６に記載の方法。
【請求項２８】
前記電磁信号から受け取ったエネルギーを貯蔵することをさらに含むことを特徴とする、請求項２６に記載の方法。
【請求項２９】
ペイメントカードであって、
外部の電磁信号を受信する手段と、
前記ペイメントカードに電力供給するための、前記電磁信号を１つ又はそれ以上の電気信号に変換する手段と、
前記１つ又はそれ以上の電気信号と結合された、１つ又はそれ以上のデータ信号の生成手段と、
前記１つ又はそれ以上の電気信号と結合されたデータ表示手段と、
を含むことを特徴とするペイメントカード。
【請求項３０】
前記１つ又はそれ以上の電気信号と結合された、磁気的に読み取り可能なデータを格納する手段をさらに含むことを特徴とする、請求項２９に記載のペイメントカード。
【請求項３１】
前記１つ又はそれ以上の電気信号と結合されたエネルギー貯蔵手段をさらに含むことを特徴とする、請求項２９に記載のペイメントカード。
【請求項３２】
ペイメントカードであって、
外部の電磁信号を受信する手段と、
前記ペイメントカードに電力供給するための、前記電磁信号を１つ又はそれ以上の電気信号に変換する手段と、
前記１つ又はそれ以上の電気信号と結合された、１つ又はそれ以上のデータ信号の生成手段と、
前記１つ又はそれ以上の電気信号と結合された、磁気的に読み取り可能なデータの格納手段と、
を含むことを特徴とするペイメントカード。
【請求項３３】
前記１つ又はそれ以上の電気信号と結合されたデータ表示手段をさらに含むことを特徴とする、請求項３２に記載のペイメントカード。
【請求項３４】
前記１つ又はそれ以上の電気信号と結合されたエネルギー貯蔵手段をさらに含むことを特徴とする、請求項２９に記載のペイメントカード。
【請求項３５】
請求項２３の方法を実行するためのコンピュータ・プログラム・コードを含むことを特徴とするコンピュータ可読媒体。
【請求項３６】
請求項２６の方法を実行するためのコンピュータ・プログラム・コードを含むことを特徴とするコンピュータ可読媒体。
【国際調査報告】
2010521739.tif 000011